(57)【特許請求の範囲】
【請求項１】
タッチパネル機能を有し、チャンネルに関する複数のパラメータを複数のチャンネルについて表示することができる第１の表示手段と、
前記第１の表示手段に対するタッチ操作を検出することにより、前記第１の表示手段に表示された複数のパラメータのうちの前記タッチ操作に対応するパラメータを選択すると共に、チャンネルを選択する操作子の操作を検出することにより、前記複数のチャンネルのうちの前記操作された操作子に対応するチャンネルを選択することにより、操作対象とする１つのパラメータを決定する第１の選択手段と、
タッチパネル機能を有し、前記第１の選択手段において操作対象とするパラメータが決定された際に、該パラメータに関する操作機能の複数の項目からなるサブメニューを常に表示する第２の表示手段と、
前記第２の表示手段に表示されたサブメニューにおいて所定の項目が選択された場合に、前記第１の選択手段で決定した操作対象とするパラメータに対して前記選択された項目に対応する操作が実行される第２の選択手段と、
前記第１の表示手段に表示された複数のパラメータに対して、前記第２の表示手段の表示状態とは独立して編集することができる編集手段と、
を備えることを特徴とするミキシングコンソール。
【請求項２】
前記第２の表示手段に表示されるサブメニューは、前記第１の選択手段で決定された操作対象とするパラメータの種類に応じた異なる項目からなるサブメニューとされていることを特徴とする請求項１記載のミキシングコンソール。
【請求項３】
前記第２の表示手段で表示するサブメニューは、コピー操作の項目を含み、前記第２の選択手段においてコピー操作の項目が選択された場合は、前記第１の選択手段で決定された操作対象とするパラメータの内容をバッファにコピーすることを特徴とする請求項１記載のミキシングコンソール。
【請求項４】
前記第２の表示手段で表示するサブメニューは、ペースト操作の項目を含み、前記第２の選択手段においてペースト操作の項目が選択された場合は、前記バッファにコピーされたパラメータの内容を前記第１の選択手段で決定された操作対象とするパラメータに、両パラメータのタイプが同じタイプとされている場合に限りペーストすることを特徴とする請求項３記載のミキシングコンソール。
【発明の詳細な説明】
【技術分野】
【０００１】
この発明は、メインディスプレイ上の操作対象のパラメータに対する補助的なメニューを常に表示しているサブディスプレイを備えるミキシングコンソールに関する。
【背景技術】
【０００２】
従来、ステージ等に配置された多数のマイクロホンや電気・電子楽器などから出力されるオーディオ信号のレベルや周波数特性を調整してミキシングし、パワーアンプに送り出すコンサートホール等で使用されるミキシングコンソールが知られている。ミキシングコンソールを操作するユーザは、楽器音や歌唱の各オーディオ信号の音量や音色を、ディジタルミキサにおける各種パネル操作子を操作することにより、演奏を最もふさわしく表現していると思われる状態に調整している。ミキシングコンソールは、入力チャンネルからの音響信号をミキシングするバスと、ミキシングされた音響信号を出力する出力チャンネルを備えている。各入力チャンネルはそれぞれ入力される音響信号の周波数特性やミキシングレベル等を制御して各ミキシングバスに出力し、各ミキシングバスは入力された音響信号をミキシングして対応する出力チャンネルに出力する。出力チャンネルからの出力は増幅されてスピーカ等から放音される。
【０００３】
従来のミキシングコンソールでは、ユーザの操作に従って信号処理に使用するパラメータの値を編集できるようにすることが行われている。例えば、主表示器にパラメータの設定を受け付けるためのＧＵＩ（グラフィカル・ユーザ・インタフェース）画面を表示させ、編集操作の受け付けをこの画面を用いて行うミキシングコンソールが知られている。また、このミキシングコンソールにおいては、主表示器にタッチパネルを設け、ユーザが画面に直接タッチしてＧＵＩを操作できるようにすることも行われている。このような、ミキシングコンソールでは、主表示器に表示させる主画面上で特定のパラメータに対応するボタンやフィールドを操作することで、そのパラメータの詳細や一覧を表示するポップアップウィンドウを表示させ、そのポップアップウィンドウ中で、パラメータに関する詳細な編集操作を行うことができるようにしている。これは、主画面だけでは、パラメータに関する詳細な編集操作を受け付けるためのＧＵＩを表示することが困難であり、表示させた場合には、編集操作を受け付けるための表示が細かくなって、視認性や操作性が低下するためである。
【０００４】
しかし、主表示器にポップアップウィンドウを表示させると、その表示を行っている間は、下の主画面が見えなくなってしまうようになる。この場合、単に主画面とポップアップ画面とを別の位置に表示させようとすると、主画面で編集するパラメータを選択した後に、別の場所に表示されたポップアップ画面で編集指示の操作を行うことになり、別々の場所で操作することから操作性が悪くなってしまうことになる。そこで、これを解決するミキシングコンソールが従来提案されている。このミキシングコンソールでは、主画面を表示させる表示パネルとは別に、詳細編集画面を表示させるタッチパネルを設け、主画面においてパラメータに関連する操作子やブロックをダブルクリックすることにより、クリックされた操作子またはブロックと対応する詳細編集画面をタッチパネルに表示させる。そして、タッチパネルに表示された詳細編集画面上には複数のパラメータを編集するボタン等が表示されており、ボタン等を操作することにより複数の各パラメータを編集することができるようになる。
【先行技術文献】
【特許文献】
【０００５】
【特許文献１】特開２００７−２６７１３５号公報
【発明の概要】
【発明が解決しようとする課題】
【０００６】
しかし、従来のミキシングコンソールではタッチパネル上で複数のパラメータを編集することを目的として、主画面上での特別な操作（ダブルクリック）がなされた場合のみ、タッチパネルに詳細編集画面が表示されるが、詳細編集画面は常に表示されているものではない。また、詳細編集画面ではパラメータそのものが表示されているだけであって、選択した１つのパラメータの状態をコピーしたりペーストしたりする補助的な操作機能をタッチパネルに表示するようにはされておらず、タッチパネルを利用して補助的な操作機能を実行することができないという問題点があった。
【０００７】
そこで、本発明は、メインディスプレイ上の表示画面において操作対象とされているパラメータに対して、補助的な操作を行うためのメニューがサブディスプレイに常に表示されるようにしたミキシングコンソールを提供することを目的としている。
【課題を解決するための手段】
【０００８】
上記目的を達成するために、本発明のミキシングコンソールは、タッチパネル機能を有し、チャンネルに関する複数のパラメータを複数のチャンネルについて表示することができる第１の表示手段と、前記第１の表示手段に対するタッチ操作を検出することにより、前記第１の表示手段に表示された複数のパラメータのうちの前記タッチ操作に対応するパラメータを選択すると共に、チャンネルを選択する操作子の操作を検出することにより、前記複数のチャンネルのうちの前記操作された操作子に対応するチャンネルを選択することにより、操作対象とする１つのパラメータを決定する第１の選択手段と、タッチパネル機能を有し、前記第１の選択手段において操作対象とするパラメータが決定された際に、該パラメータに関する操作機能の複数の項目からなるサブメニューを常に表示する第２の表示手段と、前記第２の表示手段に表示されたサブメニューにおいて所定の項目が選択された場合に、前記第１の選択手段で決定した操作対象とするパラメータに対して前記選択された項目に対応する操作が実行される第２の選択手段と、前記第１の表示手段に表示された複数のパラメータに対して、前記第２の表示手段の表示状態とは独立して編集することができる編集手段とを備えることを最も主要な特徴としている。
【発明の効果】
【０００９】
本発明によれば、操作対象のパラメータに関する操作機能の項目のサブメニューを第２の表示手段に常に表示するようにしたので、従来、第１の表示手段である主画面上でしか行なえなかったコピー、ペーストなどの補助的な操作機能を、ポップアップ表示するなどの煩わしい操作を必要とすることなく、第１の表示手段上に表示されたパラメータに対して簡単に行なうことができるようになる。また、第２の表示手段の表示状態とは独立してパラメータの編集を行うことができる。
【図面の簡単な説明】
【００１０】
【図１】本発明の実施例にかかるミキシングコンソールの構成を示すブロック図である。
【図２】本発明にかかるミキシングコンソールにおいて実行される混合処理アルゴリズムを等価的なハードウェア構成として示すブロック図である。
【図３】本発明のミキシングコンソールにおける表示部の構成およびパネルに配置された操作子の構成を示す図である。
【図４】本発明のミキシングコンソールのメインディスプレイにおける表示態様の一例を示す図である。
【図５】本発明のミキシングコンソールのメインディスプレイにおける表示態様の他の例を示す図である。
【図６】本発明のミキシングコンソールのサブディスプレイにおけるユーティリティエリアにCONTEXT MENUを表示した表示態様の一例を示す図である。
【図７】本発明のミキシングコンソールのサブディスプレイにおけるユーティリティエリアにCONTEXT MENUを表示した他の表示態様を示す図である。
【図８】図７に示す表示態様において、切り換えられた表示態様を示す図である。
【図９】本発明のミキシングコンソールのサブディスプレイにおけるユーティリティエリアにCONTEXT PADを表示した表示態様の一例を示す図である。
【図１０】本発明のミキシングコンソールのサブディスプレイにおけるユーティリティエリアにCONTEXT PADを表示した他の表示態様を示す図である。
【図１１】本発明のミキシングコンソールにおいて実行される操作対象のパラメータ決定処理のフローチャートである。
【図１２】本発明のミキシングコンソールにおいて実行されるCONTEXT MENU/PADの描画処理のフローチャートである。
【図１３】本発明のミキシングコンソールにおけるメモリイメージを示す図である。
【発明を実施するための形態】
【００１１】
本発明の実施例にかかるミキシングコンソールの構成を示すブロック図を図１に示す。
図１に示すミキシングコンソール１は、ＣＰＵ（Central Processing Unit）１０が管理プログラム（ＯＳ：Operating System）を実行しており、ミキシングコンソール１の全体の動作をＯＳ上で制御している。ミキシングコンソール１は、ＣＰＵ１０が実行するミキシング制御プログラム等の動作ソフトウェアが格納されている不揮発性のＲＯＭ（Read Only Member）１１と、ＣＰＵ１０のワークエリアや各種データ等が記憶されるＲＡＭ（Random Access Memory）１２を備えている。ＣＰＵ１０は、ミキシング制御プログラムを実行することにより、入力された複数の音響信号に音響信号処理をＤＳＰ（ディジタル信号処理装置：Digital Signal Processor）２０により施して混合処理を行っている。なお、ＲＯＭ１１をフラッシュメモリ等の書き換え可能なＲＯＭとすることで、動作ソフトウェアの書き換えを可能とすることができ、動作ソフトウェアのバージョンアップを容易に行うことができる。ＤＳＰ２０はＣＰＵ１０の制御の基で、入力された音響信号の音量レベルや周波数特性を設定されたパラメータに基づいて調整してミキシングし、音量、パン、効果などの音響特性をそのパラメータに基づいて制御するディジタル信号処理を行っている。エフェクタ（ＥＦＸ）１９はＣＰＵ１０の制御の基で、ミキシングされたオーディオ信号にリバーブ、エコーやコーラス等のエフェクトを付加している。
【００１２】
表示ＩＦ１３は、表示部１４にミキシングに関する種々の画面を表示させる表示インタフェースである。表示部１４は、図２に示すようにタッチパネル機能を有するメインディスプレイ１４ａ，１４ｂと、タッチパネル機能を有するサブディスプレイ１４ｃとから構成されている。検出ＩＦ１５は、ミキシングコンソール１のパネルに設けられているフェーダ、ノブやスイッチ等の操作子１６をスキャンして、操作子１６に対する操作を検出しており、検出された操作信号に基づいて音響信号処理に用いるパラメータの編集や操作を行うことができる。通信ＩＦ１７は、通信Ｉ／Ｏ１８を介して外部機器と通信を行うための通信インタフェースであり、イーサネット（登録商標）などのネットワーク用のインタフェースとされる。ＣＰＵ１０、ＲＯＭ１１、ＲＡＭ１２、表示ＩＦ１３、検出ＩＦ１５、通信ＩＦ１７、ＥＦＸ１９、ＤＳＰ２０は通信バス２１を介してデータ等の授受を行っている。
【００１３】
ＥＦＸ１９およびＤＳＰ２０は音声バス２５を介してＡＤ２２、ＤＡ２３、ＤＤ２４とデータ等の授受を行っている。ＡＤ２２は、ミキシングコンソール１にアナログ信号を入力する複数のアナログ入力ポートであり、ＡＤ２２において入力されたアナログ入力信号はディジタル信号に変換されて音声バス２５に送出される。ＤＡ２３は、ミキシングコンソール１からミキシングされた混合信号を外部へ出力する複数のアナログ出力ポートであり、ＤＡ２３において音声バス２５を介して受け取ったディジタル出力信号はアナログ信号に変換されて、会場やステージに配置されたスピーカから出力される。ＤＤ２４は、ミキシングコンソール１にディジタル信号を入力すると共に、外部にミキシングされたディジタル信号を出力する複数のディジタル入力／出力ポートであり、ＤＤ２４において入力されたディジタル入力信号は音声バス２５に送出され、音声バス２５を介して受け取ったディジタル出力信号はディジタルレコーダ等に出力される。なお、ＡＤ２２およびＤＤ２４から音声バス２５へ送出されたディジタル信号はＤＳＰ２０が受け取って上記したディジタル信号処理が施される。また、ＤＳＰ２０から音声バス２５に送出されたミキシングされたディジタル信号はＤＡ２３あるいはＤＤ２４が受け取るようになる。
【００１４】
次に、ミキシングコンソール１において実行される混合処理アルゴリズムを等価的なハードウェア構成として示すブロック図を図２に示す。
図２において、複数のアナログ入力ポート（ＡＤ２２）に入力された複数のアナログ信号はディジタル信号に変換されて入力パッチ（Input Patch）３０に入力される。また、複数のディジタル入力ポート（ＤＤ２４）に入力された複数のディジタル信号は、そのまま入力パッチ３０に入力される。入力パッチ３０では、信号の入力元である複数の入力ポートの何れか１つの入力ポートを、Ｎチャンネル（Ｎは１以上の整数：例えば９６チャンネル）とされる入力チャンネル部３１の各入力チャンネル（Input Channel）３１−１，３１−２，３１−３，・・・・，３１−Ｎに選択的にパッチ（結線）している。各入力チャンネル３１−１〜３１−Ｎには、入力パッチ３０でパッチされた入力ポートからのオーディオ信号In.1,In.2,In.3,・・・,In.Nがそれぞれ供給される。
【００１５】
入力チャンネル部３１における各入力チャンネル３１−１〜３１−Ｎにおける各入力チャンネル信号は、イコライザやコンプレッサにより音響信号の特性が調整されると共に送り出しレベルが制御されてＭ本（Ｍは１以上の整数：例えば２４本）の混合バス（Mix Bus）３４へ送出される。この場合、入力チャンネル部３１から出力されるＮ入力チャンネル信号は、Ｍ本の混合バス３４の１ないし複数に選択的に出力される。混合バス３４においては、Ｍ本の各バスにおいて、Ｎ入力チャンネルのうちの任意の入力チャンネルから選択的に入力された１ないし複数の入力チャンネル信号が混合されて、合計Ｍ通りの混合出力が出力される。Ｍ本の混合バス３４の各バスからの混合出力は、Ｍチャンネルとされる出力チャンネル部３２の各出力チャンネル（Output Channel）３２−１，３２−２，３２−３，・・・・，３２−Ｍにそれぞれ出力される。各出力チャンネル３２−１〜３２−Ｍでは、イコライザやコンプレッサにより周波数バランス等の音響信号の特性が調整されて、出力チャンネル信号Mix.1,Mix.2,Mix.3,・・・,Mix.Mとして出力され、このＭ出力チャンネル信号Mix.1〜Mix.Mは、出力パッチ（Output Patch）３３に出力される。
【００１６】
また、出力チャンネル部３２からのＭ出力チャンネル信号Mix.1〜Mix.Mのうちの１ないし複数の出力チャンネル信号が選択的にマトリクスバスとされるＰ本（Ｐは１以上の整数：例えば８本）のＭＴＲＸバス（MTRX Bus）３５に送出される。ＭＴＲＸバス３５においては、Ｐ本の各バスにおいて、Ｍ出力チャンネルのうちの任意の出力チャンネルから選択的に入力された１ないし複数の出力チャンネル信号が混合されて、合計Ｐ通りの混合出力MRX.1,MRX.2,MRX.3,・・・,MRX.Pが出力パッチ３３に出力される。このように、ＭＴＲＸバス３５では混合バス３４により混合された信号が、さらに混合（サブミックス）されてＰ通りに混合されたサブミックス信号MRX.1〜MRX.Pが出力される。サブミックス信号は次のような場合に使用できる。例えば、演奏会場がコンサートホールとされて、第１出力チャンネルにボーカル、第２出力チャンネルにギター、第３出力チャンネルにドラム、・・・が出力されている場合に、ホールのロビーや廊下に設置したスピーカから放音する音響信号は、ボーカル、ギター、ドラム、・・・を混合した音響信号が好適となる。そこで、出力ｃｈ部３２から出力されるボーカル、ギター、ドラム、・・・の出力チャンネル信号Mix.1〜Mix.MをＭＴＲＸバス３５により混合することにより、ＭＴＲＸバス３５から出力されるサブミックス信号MRX.1〜MRX.Pをロビーや廊下に設置したスピーカから放音させることができる。
【００１７】
出力パッチ３３では、出力チャンネル部３２からのＭ出力チャンネル信号Mix.1〜Mix.MおよびＭＴＲＸバス３５からのＰサブミックス信号MRX.1〜MRX.Pの何れかを、複数の出力ポート（ＤＡ２３およびＤＤ２４）のいずれかに選択的にパッチ（結線）することができ、各出力ポートには、出力パッチ３３でパッチされた出力チャンネル信号が供給される。ＤＡ２３の出力ポートにおいて、ディジタルの出力チャンネル信号はアナログ出力信号に変換され、アンプにより増幅されて会場に配置された複数のスピーカから放音される。さらに、このアナログ出力信号はステージ上のミュージシャン等が耳に装着するインイヤーモニタに供給されたり、その近傍に置かれたステージモニタスピーカで再生される。また、複数のディジタル出力ポートを備えるディジタル出力ポート部（ＤＤ２４）から出力されるディジタルオーディオ信号は、レコーダや外部接続されたＤＡＴ等に供給されてディジタル録音することができるようにされている。
【００１８】
次に、図３に本発明のミキシングコンソール１における表示部１４の構成およびパネルに配置された操作子１６の構成を示す。
表示部１４は、タッチパネルとされたメインディスプレイ（Left）１４ａおよびメインディスプレイ（Right）１４ｂの２つからなるメインディスプレイと、タッチパネルとされたサブディスプレイ１４ｃとから構成されている。メインディスプレイ（Left）１４ａの下には、例えば８チャンネル分のチャンネルストリップを構成する複数の操作子１６が設けられた物理パネル（Left）１６ａが配置され、メインディスプレイ（Right）１４ｂの下には、例えば８チャンネル分のチャンネルストリップを構成する複数の操作子１６が設けられている物理パネル（Right）１６ｂが配置されている。さらに、物理パネル（Left）１６ａの左側には、複数の操作子１６が設けられている物理パネル（SELECTED CHANNEL SECTION）１６ｃが配置されている。メインディスプレイでは、タッチパネルによる直感的な操作が実現されている。この場合、メインディスプレイでは設定系画面と運用系画面とが表示されるエリアが明確に分けられており、必要な時に必要なものだけを表示することで、直感的な操作を保ちつつもタッチパネルによる誤操作を防止するようにしている。
【００１９】
具体的には、メインディスプレイ（Left）１４ａの中央部のエリアは、設定系画面が表示されるOVERVIEW AREA L-1とされ、OVERVIEW AREA L-1では物理パネル（Left）１６ａ上の８チャンネル分のチャンネルストリップが扱われ、メインディスプレイ（Left）１４ａ上に表示されたイメージ操作子と物理パネル（Left）１６ａ上の複数の操作子１６がシームレスに縦方向につながっているようにチャンネルストリップが構成され、後述する図４に示す表示態様の一例の画面を表示することができる。また、OVERVIEW AREA L-1の上側のエリアは設定系画面が表示されるNAVIGATION AREA L-2とされ、物理パネル（Left）１６ａにアサインされるチャンネルブロックのブロック切り替えを行うことができる。このチャンネルブロックは、所定数例えば８チャンネルからなるチャンネルブロックとされ、NAVIGATION AREA L-2には、常に全てのチャンネルブロックが表示され、所望のチャンネルブロックにタッチすることで所望のチャンネルブロックをOVERVIEW AREA L-1および物理パネル（Left）１６ａにアサインすることができる。表示された各チャンネルブロックには、入出力メータとフェーダ位置が常に表示され、チャンネル全体の概要を見ることができる。
【００２０】
さらに、OVERVIEW AREA L-1およびNAVIGATION AREA L-2の左側のエリアは運用系画面が表示されるSelected Channel Area L-3とされ、Selected Channel Area L-3には現在選択されている１チャンネルに対し、重要なパラメータを常に操作可能とするイメージ操作子が表示されている。Selected Channel Area L-3は物理パネル（SELECTED CHANNEL SECTION）１６ｃと連携しており、物理パネル１６ｃに設けられている操作子１６によりSelected Channel Area L-3にアサインされているチャンネルに対して、リアルタイムでオペレーションが必要な項目の全てを操作することができる。SELECTED CHANNEL AREA L-3には、チャンネルパラメータのうち物理パネル（SELECTED CHANNEL SECTION）１６ｃで表現しきれないものが表示される。これらは、大きく分けて「音自体を作り込むパラメータ」、「ルーティング用のパラメータ」、「その他のパラメータ」に分類できる。SELECTED CHANNEL AREA L-3では、原則的に他のエリアの状態に依存せず、常にアサインされたチャンネルのパラメータに対する操作および表示機能が提供されている。
【００２１】
次に、メインディスプレイ（Right）１４ｂの中央部のエリアは、設定系画面が表示されるOVERVIEW AREA R-1とされ、このエリアは前記したOVERVIEW AREA L-1と同様とされているので、その説明は省略する。また、OVERVIEW AREA R-1の上側のエリアは設定系画面が表示されるNAVIGATION AREA R-2とされ、前記したNAVIGATION AREA L-2と同様とされているので、その説明は省略する。さらに、OVERVIEW AREA R-1およびNAVIGATION AREA R-2の右側のエリアは運用系画面が表示されるADMINISTRATION AREA R-3とされる。ADMINISTRATION AREA R-3は、全体の制御エリアとしてミキシングコンソール１の全体のモードを司り、他のエリアの状態には依存しない。ミキシングコンソール１におけるコンフィグレーション等、チャンネルのパラメータだけでは表現できない機能はこのエリアから呼び出される。
【００２２】
ここで、本発明にかかるミキシングコンソール１のメインディスプレイに表示される画面の表示態様の一例を図４に示す。図４においては、メインディスプレイ（Left）１４ａにおけるOVERVIEW AREA L-1の表示態様の一例と物理パネル（Left）１６ａの構成が示されているが、メインディスプレイ（Right）１４ｂにおけるOVERVIEW AREA R-1にも同様の表示態様で表示されると共に、物理パネル（Right）１６ｂの構成も同様とされる。
図４に示すメインディスプレイ（Left）１４ａにおけるOVERVIEW AREA L-1上には、当該エリアにアサインされたチャンネルブロックを構成する８チャンネル分のパラメータ毎のイメージ操作子４１が表示されている。各チャンネルのイメージ操作子４１は縦方向に２列に並んで細長く１６個配置されており、チャンネルに重要なパラメータやリアルタイムで操作するパラメータがそれぞれのイメージ操作子４１に割り当てられている。そして、OVERVIEW AREA L-1に表示された各チャンネルの細長く配列されたイメージ操作子４１と物理パネル（Left）１６ａの縦方向に細長く配列された操作子１６が縦方向にシームレスにつながっているように１チャンネル分のチャンネルストリップ４２が構成され、図４に示す場合は８チャンネル分のチャンネルストリップ４２が構成されている。OVERVIEW AREA L-1には表示されたイメージ操作子４１のいずれかにタッチすることにより、タッチされたイメージ操作子４１に割り当てられたパラメータが選択される。例えば、いずれかのチャンネルにおいてパラメータ「ＶｏＦＢ」のイメージ操作子４１にタッチすると、パラメータ「ＶｏＦＢ」が選択されて、選択されたパラメータのイメージ操作子４１を囲む矩形枠４０が表示される。そして、１つのイメージ操作子４１にタッチすることで、OVERVIEW AREA L-1に表示されている各チャンネルにおいて同じパラメータが選択されたことになり、図示するように各チャンネルにおいてパラメータ「ＶｏＦＢ」のイメージ操作子４１を囲む矩形枠４０がそれぞれのチャンネルにおいてオーバラップして表示されるようになる。
【００２３】
上記のようにしていずれかのパラメータが選択されると、選択されたパラメータの値を物理パネル（Left）１６ａにおける上段の操作子４３を操作することにより、操作子４３において変更することができる。操作子４３により変更されるのは、その操作子４３が属するチャンネルストリップ４２にアサインされたチャンネルの選択されたパラメータとされる。なお、操作子４３によるパラメータの編集は、後述するサブディスプレイ１４ｃの表示状態にかかわらず編集することができる。また、物理パネル（Left）１６ａに設けられたＳＥＬキー４４を操作すると、Selected Channel Area L-3および物理パネル（SELECTED CHANNEL SECTION）１６ｃに、操作されたＳＥＬキー４４が属するチャンネルストリップ４２に割り当てられているチャンネルがアサインされる。そして、物理パネル（SELECTED CHANNEL SECTION）１６ｃに設けられた操作子１６を操作することにより、アサインされたチャンネルのパラメータを編集することができる。さらに、物理パネル（Left）１６ａに設けられたチャンネルフェーダ４５を操作すると、操作されたチャンネルフェーダ４５が属するチャンネルストリップ４２に割り当てられているチャンネルのレベルを編集することができる。
【００２４】
図４に示す例では、物理パネル（Left）１６ａにおいて左側から３番目のチャンネル３のＳＥＬキー４４が選択されて点灯されている。これにより、選択されたパラメータ「ＶｏＦＢ」の内のチャンネル３におけるパラメータ「ＶｏＦＢ」がフォーカスされ、フォーカスされたパラメータ「ＶｏＦＢ」が操作対象のパラメータとされて、操作対象のパラメータに対する操作の項目からなるサブメニュー（CONTEXT MENU）や入力用の画像（CONTEXT PAD）がサブディスプレイ１４ｃに常に表示されるようになる。表示モードには、CONTEXT MENU モードおよびCONTEXT PAD モードがあり、CONTEXT MENU モードでは、フォーカスされたパラメータに対してコピーしたりペーストしたりする補助的な操作機能の項目からなるCONTEXT MENUが表示される。この場合のCONTEXT MENUにおける項目は、フォーカスされたパラメータの種類に応じた項目のメニューが表示される。また、CONTEXT PAD モードでは、フォーカスされたパラメータに対して数値入力を行うソフトウェアキーボードや、パンのパラメータがフォーカスされていた場合はサラウンドパンの表示画面がCONTEXT PADとして表示されるようになる。なお、フォーカスすることで特定されるパラメータは１つのパラメータであり、サブディスプレイ１４ｃには、フォーカスした１つのパラメータに対する操作を行えるCONTEXT MENUやCONTEXT PADが表示される。サブディスプレイ１４ｃに表示される画面の表示態様については後述する。
【００２５】
また、OVERVIEW AREA L-1およびOVERVIEW AREA R-1には、選択されたチャンネルの詳細編集画面を表示することができ、この詳細編集画面において選択されたチャンネルに対して詳細な設定を行うことができる。OVERVIEW AREA L-1に詳細編集画面が表示された表示態様を図５に示す。図５に示す表示画面では、チャンネル３のＳＥＬキー４４が操作されて点灯しており、選択されたチャンネル３の詳細編集画面がOVERVIEW AREA L-1に表示されている。図示するようにチャンネル３は入力チャンネルとされており、詳細編集画面にはヘッドアンプ（ＨＡ）のレベル、アッテネータ（ＡＴＴ）の減衰レベル、イコライザ（ＥＱ）の周波数特性のカーブ、コンプレッサ（Comp）のカーブ、混合バス３４へのセンドレベルやマスターレベルを調整するイメージ操作子４１がそれぞれ表示されている。そして、ヘッドアンプ（ＨＡ）のイメージ操作子４１にタッチされて、そのイメージ操作子４１を囲む矩形枠４０が表示されている。この場合、ヘッドアンプ（ＨＡ）のレベルのパラメータがフォーカスされて、サブディスプレイ１４ｃにフォーカスした当該パラメータに対する操作を行えるCONTEXT MENUやCONTEXT PADが常に表示される。なお、図４に示すOVERVIEW AREA L-1の表示画面において、任意のチャンネルのＳＥＬキー４４を操作することにより、OVERVIEW AREA L-1の表示画面が任意のチャンネルの図５に示す詳細編集画面に切り替わるようになる。この場合、OVERVIEW AREA L-1に詳細編集画面をポップアップして重ねて表示するようにしても良い。
【００２６】
サブディスプレイ１４ｃに表示される表示態様の一例を図６に示す。サブディスプレイ１４ｃは、メインディスプレイ１４ａ，１４ｂの補助操作用の表示部とされ、ユーザの操作性を向上している。また、サブディスプレイ１４ｃはタッチパネルによる直感的な操作が実現されている。
サブディスプレイ１４ｃの表示エリアは図６に示すように左側の細長いチャンネルストリップファンクションエリアＳ−１と、上部のユーティリティエリアＳ−２と、ユーザデファインドキーエリアＳ−３との３つのエリアに分かれている。チャンネルストリップファンクションエリアＳ−１には、フォーカスされたパラメータが属するチャンネルストリップの各操作子のうち、ASSIGNABLE FUNCTION ENCODER、Fn KEY、CUE KEY、CHANNEL METERが割り当てられて、フォーカスされたパラメータに応じてその機能が表示されている。図６に示す場合は、ASSIGNABLE FUNCTION ENCODERにInput Gainが割り当てられた状態が表示され、Fn KEY（Function KEY）は表示されていないが、CUE KEY、CHANNEL METERは表示されている。また、ユーティリティエリアＳ−２には、メインディスプレイ１４ａ，１４ｂでフォーカスされているパラメータに対して、CONTEXT MENUやCONTEXT PADが表示され、CONTEXT PADでは値を直接入力するなどのインターフェースを有している。図６に示す場合は、ユーティリティエリアＳ−２にCONTEXT MENUが表示されている。
【００２７】
ユーティリティエリアＳ−２には、ユーザが当該エリアの上部に設けられた「CONTEXT MENUタブ」あるいは「CONTEXT PADタブ」のいずれかにタッチすることにより、タッチされたタブに対応するCONTEXT MENUあるいはCONTEXT PADのいずれかが表示される。この場合、CONTEXT MENUあるいはCONTEXT PADのどちらを優先的に表示させるかを、フォーカスされるパラメータの種類に応じて予め決めておくようにしてもよい。図６に示す場合は、CONTEXT MENUモードに設定されて、CONTEXT MENUが表示されている。さらに、ユーザデファインドキーエリアＳ−３には、最大２４個のユーザ定義キー（USER DEFINED KEY）が画面上に配置されている。ユーザ定義キーの上部には、バンクＡ、Ｂ、Ｃ、Ｄを切り換える４個の切換キーが配置されていることから、最大２４×４のユーザ定義を各キーに設定することができる。切換キーの隣には「Edit」キーが配置されている。図示する例ではバンクＡのキーが点灯されて、バンクＡが選択されている。また、サブディスプレイ１４ｃの下に４個の物理操作子５０が配置されており、この物理操作子５０のそれぞれにもユーザ定義の機能を割り当てることができるようにされている。ユーザデファインドキーエリアＳ−３では、ユーザが定義した任意の機能がＧＵＩ上のイメージ操作子もしくはハードウェア操作子に割り当てられて、選択されたユーザ定義キーに応じた機能を使うことができる。なお、「Edit」キーにタッチすることにより、ユーザ定義キーを設定する画面が開いて、各ユーザ定義キーを設定することができる。
【００２８】
図６においてユーティリティエリアＳ−２に表示されているCONTEXT MENUでは以下の項目のボタンを表示することができ、以下に項目毎に説明する。
「COPY」：操作対象のパラメータをコピーバッファへ待避する。
「CHANNEL COPY」：操作対象のパラメータを含んでいるチャンネルストリップ全体のパラメータをコピーバッファへ待避する。
「PASTE」：コピーバッファから操作対象のパラメータ（または、当該パラメータを含んでいるチャンネル）へパラメータを反映（ペースト）する。なお、パラメータにはレベルや周波数等のタイプがあることから、現在の操作対象のパラメータのタイプが、コピーされたパラメータのタイプと同等の場合のみペースト可能となり、タイプが異なる場合はペースト不可とされる。
「COPY TO [ALL xxx↑↓]( xxx：MIX/MATRIX ）」：操作対象のSend Level/On/Pan/Follow Faderのパラメータを、同じチャンネルにおける混合バス３４あるいはＭＴＲＸバス３５の各バスへの全センドへ反映する。コピーバッファは用いない。「xxx」の部分は、操作対象が混合バス３４とされる場合は「MIX」とされ、操作対象がＭＴＲＸ３５とされる場合は「MATRIX」とされる。ミキサの各バスは、一般に図２に示すＭＴＲＸバス３５のように列方向に配置され、コピーする方向が上下方向となることから「↑↓」が項目中に示されている。
【００２９】
「COPY TO [ALL xxx]( xxx：CH/MIX/MATRIX/ST/DCA など）」：操作対象のパラメータを直接全チャンネルへ反映する。コピーバッファは用いない。「xxx」の部分は、操作対象に応じて変わる。また、操作対象がセンドパラメータの場合は、「COPY TO [ALL xxx←→]」と「←→」が付け加わる。これは、ミキサの各バスは、一般に図２に示すＭＴＲＸバス３５のように列方向に配置され、コピーするチャンネル方向が横方向となることから「←→」が項目中に示されるようになる。
「COPY TO [ALL xxx ×ALL xxx]」：操作対象のSend Level/On/Pan/Follow Faderのパラメータを全チャンネルの全センドへ反映する。コピーバッファは用いない。「xxx」の部分は、操作対象に応じて変わる。例えば、「COPY TO [ALL CH×ALL MIX] とされる。
【００３０】
「UNDO」：直近のUNDOの起点へ状態を戻す。起点が作成されるタイミングは、UNDO対象のCONTEXT MENUを実行した際には、その直前が起点となるか、ポップアップを開いた直後が起点となる（ただし、一部のポップアップは除く）。起点は最大１０個まで記憶され、起点を記憶する度に一番古い起点の情報は順次削除される。起点において保持されるパラメータは、UNDO対象のCONTEXT MENUを実行する際では、その実行対象となる全パラメータとなり、ポップアップを開いた際では、そのポップアップが扱う全パラメータとなる。なお、UNDOの際は起点として記憶されたパラメータ群が強制リコール（ただし、リコールセーフはできない）されることで、UNDOが行われる。また、UNDO実行の対象となるパラメータは、UNDO実行直前にREDOの起点として記憶される。
「REDO」：直近のRedoの起点へ状態を戻す。UNDO実行直前に起点が作成され、UNDO実行の対象となる全パラメータの状態が保持される。また、起点の数は制限されていないが、UNDOを行うことで起点が作成されることから、実際にはUNDOの可能回数に依存する。なお、UNDOを行った際にREDOは有効となるが、有効状態で何かパラメータ変更を行うとREDOの起点は全て削除されてREDOは無効状態になる。
【００３１】
「SET DEFAULT」：フォーカスされた操作対象のパラメータをデフォルト値に戻す。
「SET NOMINAL」：フォーカスされた操作対象のパラメータをノミナル値（０ｄＢ）にする。
「SET DEFAULT ( CHANNEL )」：操作対象を含んでいるチャンネルストリップ全体のパラメータをデフォルト値に戻す。
「GLOBAL PASTE」：GLOBAL PASTE画面が開かれ、フォーカスされた操作対象のパラメータのみ既存のSnapshotに貼り付け(上書き)られる。貼り付け先のSnapshotは複数選択することができる。Snapshotとは、ＤＳＰ２０が信号処理用のパラメータセットを用いて信号処理を行う際に作り出される音響の設定状態をいう。
「GLOBAL PASTE ( CHANNEL )」：GLOBAL PASTE画面が開かれ、操作対象を含んでいるチャンネルストリップのみ既存のSnapshotに貼り付け(上書き)られる。貼り付け先のSnapshotは複数を選択することができる。
「LR-MONO TYPE」：LR-MONO TYPE SELECT画面が表示され、ステレオかモノラルかのTYPEを選択することができる。フォーカスされた操作対象がSTEREO TYPEの入力チャンネル時のみ選択できる。
「IDENTIFY」：フォーカスされているデバイスにあたる実機の表示部１４を点滅表示させることにより、デバイスが複数台ある場合にフォーカスされているデバイスを特定することができる。再度選択すると点滅終了。
「HELP」：ヘルプ画面を表示して、選択した要素のヘルプにジャンプする。
【００３２】
上記したユーティリティエリアＳ−２に表示されるCONTEXT MENUの項目は、パラメータに対応する項目が含まれていることから、フォーカスされているパラメータ毎にCONTEXT MENUの内容が変わる。ただし、所定のパラメータはメニュー内容が共通とされる。この場合、ユーティリティエリアＳ−２には、フォーカスされたパラメータに対応する項目が多くなって、限られたエリアの大きさとされているユーティリティエリアＳ−２に項目の全てを表示できない場合が生じる。このような場合に、CONTEXT MENUを表示したユーティリティエリアＳ−２における他の表示態様を図７および図８に示す。
図７および図８に示す表示態様においては、表示切替ボタン５１が設けられており表示切替ボタン５１を操作することにより、図７あるいは図８の表示態様から図８あるいは図７の表示態様に切り換えることができる。図７に示す表示態様においては、ユーザデファインドキーエリアＳ−３に表示されているユーザ定義キーの表示態様を替えることなく、ユーティリティエリアＳ−２に表示されているCONTEXT MENUをスクロールして表示している。このため、ユーティリティエリアＳ−２には上下にスクロールするスクロールボタン５２が表示されていると共に、右脇にスクロール状態を示すスクロールバー５３が表示されている。ユーザは、スクロールボタン５２にタッチすることによりCONTEXT MENUにおける隠れている項目が、ユーティリティエリアＳ−２に表示されるようスクロールしてみることができるようになる。
【００３３】
また、図８に示す表示態様においては、ユーティリティエリアＳ−２のエリアが拡大されて表示されているCONTEXT MENUに多くの項目が表示されている。そして、ユーザデファインドキーエリアＳ−３のエリアは小さくされてユーザ定義キーをスクロールして表示している。このため、ユーザデファインドキーエリアＳ−３には上下にスクロールするスクロールボタン５４が表示されていると共に、右脇にスクロール状態を示すスクロールバー５５が表示されている。ユーザは、スクロールボタン５４にタッチすることにより隠れているユーザ定義キーが、ユーザデファインドキーエリアＳ−３に表示されるようスクロールしてみることができるようになる。
【００３４】
次に、CONTEXT PAD モードとされた場合に、サブディスプレイ１４ｃに表示されるCONTEXT PADの表示態様の一例を図９に示す。
図９に示すように、CONTEXT PAD モードとされた場合にはユーティリティエリアＳ−２にCONTEXT PADが表示されるが、チャンネルストリップファンクションエリアＳ−１およびユーザデファインドキーエリアＳ−３の表示態様は変化しない。図９に示す表示態様では、ユーティリティエリアＳ−２にCONTEXT PADとしてソフトウェアのテンキー５６が表示され、テンキー５６の左側の数値表示部５７には、フォーカスされているパラメータの値とその単位が表示される。フォーカスを移動した直後は、現在の値が数値表示部５７に表示される。図９に示す場合はディレイのパラメータがフォーカスされている場合であり、数値表示部５７に表示されている２６．５ｍは、メインスピーカからオペレータルームまでの距離が設定されている。テンキー５６にタッチすることにより数値表示部５７に任意の数値を設定することができ、設定後に「ENTER」キーにタッチすることにより設定値が確定される。また、数値表示部５７にキャンセルボタンを兼用させて任意の数値を設定した後に、数値表示部５７にタッチすることで設定値をキャンセルするようにしてもよい。さらに、レベルのパラメータがフォーカスされている場合は、テンキー５６により単位がｄＢとされたレベルを設定することができ、周波数のパラメータがフォーカスされている場合は、テンキー５６により単位がＨｚやｋＨｚとされた周波数を設定することができる。
【００３５】
次に、CONTEXT PAD モードとされた場合に、サブディスプレイ１４ｃに表示されるCONTEXT PADの表示態様の他の例を図１０に示す。
図１０に示すCONTEXT PADの表示態様は、サラウンドのミニグラフがフォーカスされている場合に表示され、ユーティリティエリアＳ−２にCONTEXT PADとして２次元のパンポット５８が表示されている。パンポットとは複数のバスに対して信号を分割配分し、バス間のレベル差によって音像の定位を設定する機構である。パンポット５８の左側には各サラウンドバスへのSEND ONのトグルとされたボタン５９が表示されている。パンポット５８をタッチすると、タッチ位置にパンが移動し、ドラッグすることによってもパンが移動するようになる。パンポット５８の範囲外にドラッグした場合は、範囲内に収まるようクリッピングされてパンが移動するようになる。
【００３６】
次に、本発明のミキシングコンソール１において実行される操作対象のパラメータ決定処理のフローチャートを図１１に示す。
メインディスプレイ１４ａ，１４ｂ上で、フォーカスされているパラメータが変わったとき、あるいは、ＳＥＬキー４４により他のチャンネルが選択されたときに操作対象のパラメータ決定処理がスタートされ、ステップＳ１０にてＳＥＬキー４４により選択されているチャンネル（ａ）が取得される。次いで、ステップＳ１１にてメインディスプレイ１４ａ，１４ｂ上に表示されている複数チャンネルで共通に選択されているパラメータ（ｂ）が取得される。共通に選択されているパラメータ（ｂ）は、例えば図４において矩形枠４０で囲まれているイメージ操作子４１に割り当てられているパラメータである。ステップＳ１１の処理が終了すると、ステップＳ１２にてチャンネル（ａ）のパラメータ（ｂ）がフォーカスされた操作対象のパラメータとして決定され、操作対象のパラメータ決定処理は終了する。
【００３７】
次に、本発明のミキシングコンソール１において実行されるCONTEXT MENU/PADの描画処理のフローチャートを図１２に示す。
CONTEXT MENU/PADの描画処理は、上記した操作対象のパラメータ決定処理により操作対象のパラメータが決定された際にスタートされると共に、「CONTEXT MENUタブ」あるいは「CONTEXT PADタブ」のいずれかにタッチされたときにスタートし、ステップＳ２０にてフォーカスされた操作対象のパラメータの各種情報が取得される。次いで、ユーティリティエリアＳ−２に表示するのはCONTEXT MENUかCONTEXT PADかが判断される。ここで、操作対象のパラメータにおいてCONTEXT MENUが優先的とされていたり、「CONTEXT MENUタブ」がタッチされた場合は、CONTEXT MENUをユーティリティエリアＳ−２に表示すると判断されて、ステップＳ２２に分岐して取得された操作対象のパラメータに応じた内容のCONTEXT MENUをユーティリティエリアＳ−２に表示する。また、操作対象のパラメータにおいてCONTEXT PADが優先的とされていたり、「CONTEXT PADタブ」にタッチした場合は、ステップＳ２１にてCONTEXT PADをユーティリティエリアＳ−２に表示すると判断され、ステップＳ２２に分岐して取得された操作対象のパラメータに応じた内容のCONTEXT PADをユーティリティエリアＳ−２に表示する。ステップＳ２２あるいはステップＳ２３の処理が終了すると、CONTEXT MENU/PADの描画処理は終了する。
【００３８】
次に、本発明のミキシングコンソール１のＲＡＭ１２に格納されている各種パラメータのメモリイメージ（データ構造）を図１３に示す。
図１３に示すように、ミキシングコンソール１における信号処理用の複数のカレントパラメータとされるParameter 1、Parameter 2、Parameter 3、・・・がＲＡＭ１２上に記憶されている。各パラメータには、Parameter 1に示すようにパラメータの「Name」、「Type」、「Value」、「Context」、「Nominal Value」、「Default Value」、・・・が含まれている。そして、このうちの「Context」の情報には、「Menu」、「Pad」、・・・の情報が含まれている。さらに、「Menu」は項目の情報とされており、「Copy」、「Channel Copy」、「Paste」、「Copy to [All xxx]」、「Copy to [All xxx×All xxx]」、「Undo」、「Redo」、「Set Default」、「Set Nominal」、「Set Default ( Channel )」、「Global Paste」、「Global Paste ( Channel )」、「LR-Mono Type」、「Indentify」、「Help」、・・・の上記した項目が含まれている。これらの項目の内のフォーカスされたパラメータに応じた項目が、CONTEXT MENU/PADの描画処理におけるステップＳ２２の処理においてユーティリティエリアＳ−２に表示される。また、「Pad」にはテンキー５６を表示するタイプやパンポット５８を表示するタイプの「Pad Type」が含まれており、これらのタイプの内のフォーカスされたパラメータに応じたタイプのPADが、CONTEXT MENU/PADの描画処理におけるステップＳ２３の処理においてユーティリティエリアＳ−２に表示される。
【産業上の利用可能性】
【００３９】
以上説明した本発明のミキシングコンソールでは、第１の表示手段とされるタッチパネルとされたメインディスプレイに、複数チャンネルの各チャンネルに関する複数のパラメータが表示可能とされ、メインディスプレイ上において表示されているイメージ操作子にタッチすることにより、タッチされたイメージ操作子に対応するパラメータが選択され、さらに、ＳＥＬキーが操作されてチャンネルが選択されることにより、操作対象とする１つのパラメータが決定される。そして、操作対象とするパラメータが決定された際に、該パラメータに関する操作機能の複数の項目からなるサブメニュー（CONTEXT MENU）が第２の表示手段とされるサブディスプレイに表示され、サブメニューにおいて選択された項目に対応する操作が操作対象とするパラメータに対して行われるようになる。この場合、サブディスプレイの表示状態とは独立して、メインディスプレイに表示されている各チャンネルに関するパラメータを物理パネルの操作子を用いて編集することができる。
【００４０】
以上の説明では、本発明はミキシングコンソールとして説明したが、これに限ることはなく、２チャンネル以上の入力チャンネルを備え、入力チャンネルに入力された音響信号をミックスして出力する音響装置であればよい。また、OVERVIEW AREAに、各チャンネルのイメージ操作子４１が２列に並んで１６個配置されているとしたが、これに限るものではなく１６個より少なくてもよいし、１６個を超えて配置されていてもよい。さらに、ユーザデファインドキーエリアには、２４個のユーザ定義キーを配置するようにしたが、これに限るものではなく２４個より少なくてもよいし、２４個を超えて配置されていてもよい。
【符号の説明】
【００４１】
１  ミキシングコンソール、１０  ＣＰＵ、１１  ＲＯＭ、１２  ＲＡＭ、１３  表示ＩＦ、１４  表示部、１４ａ，１４ｂ  メインディスプレイ、１４ｃ  サブディスプレイ、１５  検出ＩＦ、１６  操作子、１６ａ，１６ｂ，１６ｃ  物理パネル、１７  通信ＩＦ、１８  通信Ｉ／Ｏ、１９  ＥＦＸ、２０  ＤＳＰ、２１  通信バス、２２  ＡＤ、２３  ＤＡ、２４  ＤＤ、２５  音声バス、３０  入力パッチ、３１  入力チャンネル部、３１−１〜３１−Ｎ  入力チャンネル、３２  出力チャンネル部、３２−１〜３２−Ｍ  出力チャンネル、３３  出力パッチ、３４  混合バス、３５  ＭＴＲＸバス、４０  矩形枠、４１  イメージ操作子、４２  チャンネルストリップ、４３  操作子、４４  ＳＥＬキー、４５  チャンネルフェーダ、５０  物理操作子、５１  表示切替ボタン、５２  スクロールボタン、５３  スクロールバー、５４  スクロールボタン、５５  スクロールバー、５６  テンキー、５７  数値表示部、５８  パンポット、５９  ボタン
【図１】
0005444989.tif 000002
【図２】
0005444989.tif 000003
【図３】
0005444989.tif 000004
【図４】
0005444989.tif 000005
【図５】
0005444989.tif 000006
【図６】
0005444989.tif 000007
【図７】
0005444989.tif 000008
【図８】
0005444989.tif 000009
【図９】
0005444989.tif 000010
【図１０】
0005444989.tif 000011
【図１１】
0005444989.tif 000012
【図１２】
0005444989.tif 000013
【図１３】
0005444989.tif 000014